(57)【要約】【課題】制御基板のコネクタ受部を露出する部位から電極等を侵入させる不正行為を防止し得る遊技機用の制御基板収納ケースを提案する。【解決手段】コネクタ受部７３ａ〜７３ｆが実装された制御基板７１と、該コネクタ受部７３ａ〜７３ｆが露出するコネクタ接続用開口窓部２４ａ〜２４ｄを備えたケース主体２との間に、コネクタ受部７３ａ〜７３ｆを外嵌する嵌合開口部５３ａ〜５３ｆとコネクタ接続用開口窓部２４ａ〜２４ｄに嵌入して面方向の隙間領域５９ａ〜５９ｄを閉鎖する肉厚状の嵌合凸面５５ａ〜５５ｄとを備えた板状のコネクタ用スペーサ５１を介装してなる制御基板収納ケース１である。これにより、コネクタ用スペーサ５１をコネクタ接続用開口窓部２４ａ〜２４ｄを介して表裏方向へ変形させ難く、これら両者間に人為的に間隙を生じさせる不正行為を防止する効果が高い。【選択図】図３
2011050435.tif 000002
【特許請求の範囲】
【請求項１】
制御基板の実装面側を覆うケース主体と、該制御基板の裏面側を覆うケース底体とを装着することにより、制御基板を収納する遊技機用の制御基板収納ケースにおいて、
ケース主体が、制御基板の実装面に実装されたコネクタ受部が露出するように設けられたコネクタ接続用開口窓部を備えると共に、
制御基板のコネクタ受部に外嵌する嵌合開口部と、
該嵌合開口部と前記コネクタ接続用開口窓部との間に生ずる面方向の隙間領域を裏側から閉鎖するように、コネクタ接続用開口窓部に嵌入する肉厚状の嵌合凸面と
を具備してなる、ケース主体と制御基板の実装面との間に介装される板状のコネクタ用スペーサを備えるものであることを特徴とする遊技機用の制御基板収納ケース。
【請求項２】
コネクタ用スペーサは、その嵌合凸面が、ケース主体のコネクタ接続用開口窓部に内嵌する平面状に突成され、且つ嵌合開口部が、前記嵌合凸面に開口形成されてなるものであることを特徴とする請求項１に記載の遊技機用の制御基板収納ケース。
【請求項３】
コネクタ用スペーサは、
嵌合開口部が、その内周面に、ケース主体のコネクタ接続用開口窓部の内周面と表裏方向で重なり合う連続内周面と重なり合わない不連続内周面とを備えてなると共に、
嵌合凸面が、前記嵌合開口部の不連続内周面の口端縁に沿って形成されてなるものであることを特徴とする請求項１に記載の遊技機用の制御基板収納ケース。
【請求項４】
コネクタ用スペーサの嵌合凸面は、ケース主体のコネクタ接続用開口窓部に嵌入した状態で、該コネクタ接続用開口窓部よりも表方へ突出しないように形成されてなるものであることを特徴とする請求項１乃至請求項３のいずれか１項に記載の遊技機用の制御基板収納ケース。
【発明の詳細な説明】
【技術分野】
【０００１】
本発明は、パチンコ遊技機やスロットマシンなどの遊技機に取り付けられる遊技機用の制御基板収納ケースに関する。
【背景技術】
【０００２】
遊技機の制御基板には、大当り発生確率などの遊技制御内容が書き込まれた記憶装置ＲＯＭが配設されている。この遊技制御内容は、法的規制に沿って設定されており、勝手に変更することができない。そして、制御基板への不正を防止するために、該制御基板を専用の制御基板収納ケースに収納して、遊技機に取り付けるようにしている。ここで、制御基板収納ケースには、不正に開放されないように、制御基板を収納した閉鎖状態で封止する手段が設けられている。
【０００３】
このような制御基板には、配線ケーブルの先端に設けられたコネクタと接続するためのコネクタ受部が実装されている。このコネクタ受部に、所定の配線ケーブルのコネクタを取り付けて接続することにより、該配線ケーブルを介して、他の制御基板や駆動装置等と電気信号の伝達が可能となる。
【０００４】
そして、上記した制御基板収納ケースには、配線ケーブルのコネクタを接続するために制御基板のコネクタ受部を露出する開口窓部が設けられている。ここで、制御基板としては、コネクタ受部の配設数や形状が異なる構成もあることから、これら様々な構成に対応できるように、前記開口窓部が、コネクタ受部に比して大きな開口面積となるように形成されている。ところが、かかる構成の場合には、前記開口窓部とコネクタ受部との隙間から電極（金属片）等を侵入させることにより、制御基板に配設された中央制御装置（ＣＰＵ）を誤作動させる不正行為が行われるおそれがあった。
【０００５】
このような不正行為を防止するために、例えば特許文献１の構成として、コネクタ受部に比して開口面積の大きい開口窓部を制御基板収納ケースに形成し、且つコネクタ受部を内嵌する開口部を設けた板状のスペーサを、制御基板収納ケースに配設することにより、コネクタ受部をスペーサの開口部と制御基板収納ケースの開口窓部とを介して露出するようにした構成が提案されている。かかる構成にあっては、コネクタ受部とスペーサとに隙間を生じないため、上記した不正行為を防止する効果を奏すると共に、コネクタ受部の形状や配設数に応じたスペーサを用いることにより、様々な制御基板に対応可能となっている。
【先行技術文献】
【特許文献】
【０００６】
【特許文献１】特開２００６−２４７４１１号公報
【発明の概要】
【発明が解決しようとする課題】
【０００７】
ところで、上記した特許文献１の従来構成にあっては、制御基板収納ケースの開口窓部に比して、スペーサに設けられた開口部の開口面積が小さいことから、スペーサを取り付けた状態で両者の間に面方向の隙間領域が生ずる。そして、この隙間領域は、外部に露出することから、この隙間領域に負荷を作用させてスペーサを強制的に変形させることによって該スペーサと開口窓部との間に表裏方向で間隙を生じさせ、当該間隙から電極（金属片）等を侵入させる不正行為が行われることが懸念される。特に、このスペーサは板状に形成されていることから、その板厚方向に比較的変形させ易く、前記不正行為を行い易い。
【０００８】
本発明は、上記した問題点を解決し、コネクタ受部を露出する部位から電極等を侵入させる不正行為の防止効果に優れる遊技機用の制御基板収納ケースを提案するものである。
【課題を解決するための手段】
【０００９】
本発明は、制御基板の実装面側を覆うケース主体と、該制御基板の裏面側を覆うケース底体とを装着することにより、制御基板を収納する遊技機用の制御基板収納ケースにおいて、ケース主体が、制御基板の実装面に実装されたコネクタ受部が露出するように設けられたコネクタ接続用開口窓部を備えると共に、制御基板のコネクタ受部に外嵌する嵌合開口部と、該嵌合開口部と前記コネクタ接続用開口窓部との間に生ずる面方向の隙間領域を裏側から閉鎖するように、コネクタ接続用開口窓部に嵌入する肉厚状の嵌合凸面とを具備してなる、ケース主体と制御基板の実装面との間に介装される板状のコネクタ用スペーサを備えるものであることを特徴とする遊技機用の制御基板収納ケースである。
【００１０】
かかる構成にあっては、コネクタ用スペーサがケース主体と制御基板との間に介装された状態で、コネクタ接続用開口窓部に裏側から嵌め込まれたコネクタ用スペーサの嵌合凸面により、該コネクタ接続用開口窓部とコネクタ用スペーサの嵌合開口部との間に生じた隙間領域を閉鎖するようにした構成である。この隙間領域を閉鎖した状態では、コネクタ用スペーサの嵌合凸面が、コネクタ接続用開口窓部の裏側開口端縁に比して表方に位置している。そのため、例えば、隙間領域に負荷を作用させてコネクタ接続用開口窓部とコネクタ用スペーサとの間に表裏方向の間隙を生じさせる場合には、嵌合凸面とコネクタ接続用開口窓部の裏側開口端縁との高さ間隔を越える比較的大きな変形が必要であり、前記した表裏方向の間隙を生じさせ難い。さらに、前記隙間領域を閉鎖する嵌合凸面は肉厚状に形成されていることから、高い強度と剛性とを有し、前記した変形を生じさせ難く、コネクタ接続用開口窓部とコネクタ用スペーサとの間に表裏方向の間隙を生じさせ難い。以上のことから、本構成のコネクタ用スペーサは、コネクタ接続用開口窓部との間に表裏方向の間隙を人為的に生じさせることが極めて難しく、該間隙から該間隙から電極（金属片）等を侵入させるという不正行為を防止する効果が著しく向上する。
【００１１】
また、コネクタ用スペーサは、その嵌合凸面がコネクタ接続用開口窓部に嵌入して配設されることから、コネクタ接続用開口窓部に対して位置ズレして配設されることがなく、ケース主体に対して正確且つ安定して位置決めされる。そのため、例えば、コネクタ用スペーサが位置ズレして配設されてしまい、コネクタ受部にコネクタを接続し難くなったり、接続不良を生じてしまうという不具合を防止できるという利点も有する。
【００１２】
上述した遊技機用の制御基板収納ケースにあって、コネクタ用スペーサは、その嵌合凸面が、ケース主体のコネクタ接続用開口窓部に内嵌する平面状に突成され、且つ嵌合開口部が、前記嵌合凸面に開口形成されてなるものである構成が提案される。
【００１３】
かかる構成にあっては、コネクタ接続用窓部とコネクタ用スペーサの嵌合開口部との間に生じた隙間領域を閉鎖する嵌合凸面が、比較的面積の広い平面状に形成されてなるものであるから、より高い強度と剛性とを有する。これにより、当該隙間領域にあって、嵌合凸面に負荷を作用させて変形を生じさせようとする不正行為を防止する効果が一層向上し、上述した本発明の作用効果が一層向上する。尚、本構成にあっては、コネクタ接続用開口窓部に比して比較的小さな嵌合開口部を備えた構成に好適であり、例えば、一つのコネクタ接続用開口窓部に複数の嵌合開口部が配される構成にも好適に用いられ得る。
【００１４】
上述した遊技機用の制御基板収納ケースにあって、コネクタ用スペーサは、嵌合開口部が、その内周面に、ケース主体のコネクタ接続用開口窓部の内周面と表裏方向で重なり合う連続内周面と重なり合わない不連続内周面とを備えてなると共に、嵌合凸面が、前記嵌合開口部の不連続内周面の口端縁に沿って形成されてなるものである構成が提案される。
【００１５】
かかる構成にあっては、嵌合開口部の連続内周面とコネクタ接続用開口窓部との間には隙間領域が形成されておらず、不連続内周面とコネクタ接続用開口窓部との間に隙間領域が形成されるため、この隙間領域を閉鎖するように、不連続内周面の口端縁に沿って嵌合凸面を形成したものである。このように嵌合凸面を形成することによっても、当該コネクタ用スペーサを不正に変形させることが難しく、電極（金属片）等を侵入させる不正行為を防止する効果が適正に生じ得る。尚、本構成にあっては、コネクタ接続用開口窓に比して僅かに小さい開口面積を有する嵌合開口部を備えた構成に好適である。
【００１６】
上述した遊技機用の制御基板収納ケースにあって、コネクタ用スペーサの嵌合凸面は、ケース主体のコネクタ接続用開口窓部に嵌入した状態で、該コネクタ接続用開口窓部よりも表方へ突出しないように形成されてなるものである構成が提案される。
【００１７】
かかる構成にあっては、嵌合凸面がコネクタ接続用開口窓部より突出しないことから、嵌合開口部に内嵌したコネクタ受部にコネクタを取り付ける作業や取り外す作業を行い易く、メンテナンス作業などの作業性に優れている。
【発明の効果】
【００１８】
本発明の遊技機用の制御基板収納ケースは、上述したように、コネクタ受部が実装された制御基板と、該コネクタ受部が露出するコネクタ接続用開口窓部を備えたケース主体との間に、コネクタ受部を外嵌する嵌合開口部とコネクタ接続用開口窓部に嵌入して面方向の隙間領域を閉鎖する肉厚状の嵌合凸面とを備えた板状のコネクタ用スペーサを介装してなるものであるから、嵌合凸面とコネクタ接続用開口窓部の裏側開口端縁との間に表方向で段差を有すること、および嵌合凸面が高い強度と剛性とを有することによって、コネクタ用スペーサをコネクタ接続用開口窓部を介して表裏方向へ変形させ難い。したがって、これら両者間に人為的に間隙を生じさせる不正行為を抑制する効果が高く、前記間隙から電極（金属片）等を侵入させるという不正行為を防止する効果が著しく向上する。
【００１９】
上述した遊技機用の制御基板収納ケースにあって、コネクタ用スペーサの嵌合凸面が、ケース主体のコネクタ接続用開口窓部に内嵌する平面状に突成され、且つ嵌合開口部が、前記嵌合凸面に開口形成されてなる構成の場合には、平面状の嵌合凸面が一層高い強度と剛性とを有することから、該嵌合凸面による変形抑制効果が一層向上し、上述した本発明の作用効果がさらに高まる。
【００２０】
上述した遊技機用の制御基板収納ケースにあって、コネクタ用スペーサの嵌合開口部が、その内周面に、ケース主体のコネクタ接続用開口窓部の内周面と表裏方向で重なり合う連続内周面と重なり合わない不連続内周面とを備えてなると共に、嵌合凸面が、前記嵌合開口部の不連続内周面の口端縁に沿って形成されてなる構成の場合には、前記嵌合凸面により、当該コネクタ用スペーサの変形抑制効果が高く、上述した本発明の作用効果を適正に生じ得る。
【００２１】
上述した遊技機用の制御基板収納ケースにあって、コネクタ用スペーサの嵌合凸面は、ケース主体のコネクタ接続用開口窓部に嵌入した状態で、該コネクタ接続用開口窓部よりも表方へ突出しないように形成されてなるもの構成とした場合には、嵌合開口部に内嵌したコネクタ受部にコネクタを取り付ける作業や取り外す作業を行い易く、メンテナンス作業などの作業性に優れている。
【図面の簡単な説明】
【００２２】
【図１】本発明にかかる制御基板収納ケース１の分解斜視図である。
【図２】コネクタ用スペーサ５１の、（Ａ）平面図と、（Ｂ）Ｌ−Ｌ断面図である。
【図３】ケース主体２とコネクタ用スペーサ５１と制御基板７１との配置関係を表す分解斜視図である。
【図４】制御基板７１を収納した状態の制御基板収納ケース１を表す斜視図である。
【図５】制御基板７１を収納した状態の制御基板収納ケース１の、（Ａ）平面図と、（Ｂ）Ｐ部の拡大図である。
【図６】（Ａ）図５中のＭ−Ｍ断面図と、（Ｂ）図５中のＮ−Ｎ断面図である。
【発明を実施するための形態】
【００２３】
本発明の実施例を、添付図面を用いて詳述する。
本実施例の遊技機用の制御基板収納ケース１は、パチンコ遊技機やスロットマシンの所定位置に配設されるものである。尚、本実施例にあって、制御基板収納ケース１のケース底体３側を裏側としケース主体２側を表側とし、その表裏方向と直交するケース主体２およびケース底体３の長手方向を前後方向としている。
【００２４】
上記の制御基板収納ケース１にあっては、図１のように、例えばパチンコ遊技機の裏面側の所定位置に固定されるケース底体３と、裏方開口された矩形筐体状のケース主体２とを備えてなる。そして、ケース主体２には、図３のように、制御基板７１がその実装面７２を覆うようにして収納されて、所定の螺子（図示せず）により螺合されて取り付けられる。このケース主体２に、図１のように、その裏方開口を閉鎖するようにケース底体３が装着される。ここで、ケース主体２とケース底体３とは、前記制御基板７１の板面方向に沿った前後方向（長手方向）にスライドさせることにより、開閉することができる構成となっている。ケース主体２とケース底体３は、透明性の樹脂素材から成形されており、後述する制御基板７１を外部から視認可能としている。
【００２５】
尚、上記したケース主体２に収納される制御基板７１としては、薄板状のプリント配線板（図示せず）、その上面に夫々実装された中央制御装置ＣＰＵや記憶装置ＲＯＭや記憶装置ＲＡＭなどの電子部品（図示せず）、該制御基板と他の制御基板や駆動装置などとを電気的に接続する配線ケーブル（図示せず）のコネクタ（図示せず）が連結される複数のコネクタ受部７３ａ〜７３ｆなどを備えている（図３参照）。そして、前記電子部品やコネクタ受部７３ａ〜７３ｆなどが配設されている面側が、実装面７２である。
【００２６】
ここで、コネクタ受部７３ａ〜７３ｆは、図３，４のように、合成樹脂材からなる箱形状に形成されており、その下面が上記プリント配線板の上面に固着されるようにして、当該制御基板７１の一方の長辺に沿って並設されている。そして、コネクタ受部７３ａ〜７３ｆは、図６のように、矩形状に上方開口した接続開口部７４ａ〜７４ｆと、各接続開口部７４ａ〜７４ｆ内に上下方向に起立する複数の端子ピン７５とを備えてなる。このようなコネクタ受部７３ａ〜７３ｆには、配線ケーブルの先端に固着されたコネクタ（図示せず）が接続される。このコネクタは、前記コネクタ受部７３ａ〜７３ｆに嵌合するように下方開口した箱形状を成し、その内部に前記端子ピン７５と接触する電極が内蔵されている（図示せず）。各コネクタを夫々にコネクタ受部７３ａ〜７３ｆに嵌合することにより、各配線ケーブルと制御基板７１とが電気的に接続され、該配線ケーブルを介して他の制御基板（図示せず）や駆動装置（図示せず）等と電気信号を送受信できるようになる。
【００２７】
上記したケース底体３は、図１のように、略長方形板状の底面部１１と、該底面部１１の対向する二つの長辺から夫々表方へ起立する側壁部１２，１２と、底面部１１の片方の短辺から表方へ起立する側壁部１３とから構成されている。ここで、前記の各長辺から起立する側壁部１２，１２には、その上端縁から内方へ延成された複数の摺動支持片部１５が設けられている。さらに、ケース底体３にあって、底面部１１の他方の短辺には側壁が形成されておらず、後述するように、ここからケース主体２を面方向に沿って嵌入または取り外しできるように後方開口している。尚、ケース底体３の長手方向（長辺に沿った方向）で、側壁部１３が形成された方向を前方とし、その逆方向を後方としている。
【００２８】
また、上記したケース主体２は、長方形状に裏方開口する矩形筐体状を成し、表側の主面部２１と、該主面部２１より背の低い副面部２２，２３と、互いに対向する長辺に沿った帯状の摺動側縁部２５，２５と、該摺動側縁部２５，２５から裏方へ起立する側壁部２７，２７と、互いに対向する短辺から裏方へ起立する側壁部２８，２９とから構成されている。そして、このケース主体２の四隅には、その裏面側に螺子孔（図示省略）が夫々形成されており、各螺子孔に所定の螺子を螺着することにより制御基板７１を固定する（図３参照）。ここで、上述したようにケース主体２に取り付けられた制御基板７１は、その実装面７２が該ケース主体２内に収納されていることから、実装面７２に設けられている各電子部品等が当該ケース主体２を介して視認可能であり且つ保護されている。ケース主体２は、前記のように制御基板７１を取り付けた状態で、該制御基板７１がケース主体２の側壁部２７，２８，２９よりも裏方へ突出しないようにしており、制御基板７１を内部に収納している（図６参照）。
【００２９】
上記の副面部２２は、ケース主体２の一方の長辺に沿って且つ長手方向に亘って形成されており、制御基板７１のコネクタ受部７３ａ〜７３ｆを露出する矩形状のコネクタ接続用開口窓部２４ａ〜２４ｄが、長手方向に沿って並ぶようにして開口形成されている。同様に、副面部２３にも、制御基板７１に設けられた図示しないコネクタ受部を露出するための開口部（図示省略）も形成されている。尚、前記したコネクタ接続用開口窓部２４ａ〜２４ｄは、本発明の要部に係り、その詳細については後述する。
【００３０】
上述したケース主体２とケース底体３とは、ケース主体２の摺動側縁部２５，２５を、ケース底体３の底面部１１と摺動支持片部１５との間に嵌入するようにして、該底面部１１の面方向に沿った前後方向（長手方向）へ相対的に移動することができる。そして、ケース主体２の裏方開口をケース底体３により閉鎖することにより、両者を装着する。このようにケース主体２とケース底体３とは、相対的に前後方向（長手方向）に沿って移動（スライド）させることによって開閉できるようになっている。
【００３１】
ここで、ケース主体２は、ケース底体３の底面部１１と各摺動支持片部１５とにより表裏方向への移動が拘束され、さらに、ケース底体３の側壁部１２，１２により短辺方向（底面部１１の面方向で長手方向と直交する方向）への移動が拘束される。このように、ケース主体２とケース底体３とは、長手方向への移動（前後方向移動）のみが可能であり、この移動により開閉できるようになっている。
【００３２】
一方、上記したケース底体３の側壁部１３には、表裏方向へ貫通する収納孔（図示せず）を備えた封止主部３１，３１が並設されており、ケース主体２の側壁部２８には、前記封止主部３１，３１と夫々に対となる封止被着部３５，３５が並設されている。この封止被着部３５，３５には、裏方開口する係止溝（図示せず）が設けられており、ケース主体２とケース底体３とを装着した状態（閉鎖した状態）で、各係止溝が前記封止主部３１，３１の各収納孔と表裏方向で連通するようになっている。この封止被着部３５，３５はそれぞれ、側壁部２８から前方へ突出する細杆状の接続杆部３６，３６を介して設けられており、この接続杆部３６，３６を、ニッパ等の工具により切断することによって、封止被着部３５，３５をケース主体２から切り離すことできるようになっている。
【００３３】
上記した封止主部３１の収納孔内には、該封止主部３１と封止被着部３５との前後方向移動を拘束するためのロック片４１が保持される。ロック片４１は、その上端部に、内外方向へ弾性変形可能な矢印状の弾性係止爪部４２を備えており、この弾性係止爪部４２により、収納孔内の仮止め位置と上端部を収納孔から表方へ突出する拘束位置とに位置決められるようになっている。詳述すると、前記収納孔の孔内には、内方へ突出する仮止め係合部（図示せず）が設けられており、前記ロック片４１を当該収納孔内へ裏側から押し入れて、弾性係止爪部４２を仮止め係合部上に係止することによって、当該ロック片４１を収納孔内の仮止め位置に保持できる。さらに、ケース主体２とケース底体３とを装着した状態で、ロック片４１を仮止め位置から表方へ押し込むことにより、弾性係止爪部４２が収納孔から表方へ突出して該収納孔の上部孔周縁に係止して、当該ロック片４１を拘束位置に位置決められる。この拘束位置では、ロック片４１の上端部が封止被着部３５の係合溝内に挿入し且つ該ロック片４１の下部が封止主部３１の収納孔内に在るため、ロック片４１の所謂閂作用によって、封止主部３１と封止被着部３５とを前後方向へ移動不能とする。これにより、ケース主体２とケース底体３とを装着状態で封止することができる。そして、この封止した状態では、ロック片４１が封止主部３１と封止被着部３５とにより被覆されているために、当該ロック片４１を拘束位置から移動させることができない。この封止状態を解除する場合には、封止被着部３５の接続杆部３６，３６を切断して、該封止被着部３５をケース主体２から切り離す。これにより、ケース主体２とケース底体３とを前後方向へ移動可能となり、開放することができる。尚、封止後に開放すると、封止被着部３５を切断した痕跡が確実に残る。そして、前記のように、封止被着部３５を切断しなければ開放できないことから、不正に開放する行為を防止することができ得る。
【００３４】
ここで、本実施例にあっては、上記した封止主部３１および封止被着部３５が夫々に二つ設けられていることから、正規に開放した場合に再度封止することができる。
【００３５】
次に、本発明の要部について説明する。
上記した制御基板収納ケース１は、図３のように、そのケース主体２の副面部２２と、該ケース主体２に取り付けられる制御基板７１との間に介装されるコネクタ用スペーサ５１を備えている。このコネクタ用スペーサ５１は、上記した副面部２２の裏面を全体的に覆うように、長尺の矩形平板形状に形成されている。尚、本実施例で用いられる「外嵌」および「内嵌」については、嵌め合わされる物同士がほとんど隙間なく嵌合することを意味し、嵌合した状態では嵌合物同士の境界から金属片（電極）等を侵入させることができない。
【００３６】
コネクタ用スペーサ５１は、図２のように、その両端部に円形状の貫通口５２，５２が形成されており、ケース主体２の副面部２２の裏面側に突成された円板状の挿通部（図示せず）と嵌め合わされることによって位置決めされるようになっている。ここで、副面部２２の挿通部は、該副面部２２の裏面から裏方への突出高さがコネクタ用スペース５１の板厚と同じに設定されていると共に、その中心部に、所定の螺子（図示省略）を螺合する螺子孔（図示省略）が形成されている。すなわち、コネクタ用スペーサ５１を、ケース主体２の裏面側から、貫通口５２，５２と前記した挿通部（図示せず）とを嵌合するようにして、副面部２２に被着し、その後、前記螺子を螺子孔に螺合することによって制御基板７１とケース主体２とを固定する。これにより、ケース主体２の副面部２２と制御基板７１との間にコネクタ用スペーサ５１を挟持する（図３参照）。尚、コネクタ用スペーサ５１を副面部２２に被着した状態では、該コネクタ用スペーサ５１の上面５１ａとケース主体２の副面部２２の裏面とが面接触する（図６参照）。
【００３７】
上記したコネクタ用スペーサ５１には、ケース主体２の副面部２２に被着した状態で制御基板７１のコネクタ受部７３ａ〜７３ｆに対向する部位に、各コネクタ受部７３ａ〜７３ｆに外嵌する矩形状の嵌合開口部５３ａ〜５３ｆが開口形成されている。嵌合開口部５３ａ〜５３ｆは、当該コネクタ用スペーサ５１が副面部２２に被着された状態で、該副面部２２のコネクタ接続用開口窓部２４ａ〜２４ｄと表裏方向で連通するように位置決めされる。これにより、図４〜６のように、制御基板７１のコネクタ受部７３ａ〜７３ｆは、嵌合開口部５３ａ〜５３ｆとコネクタ接続用開口窓部２４ａ〜２４ｄとを介して外部に露出する。
【００３８】
ここで、ケース主体２の副面部２２には、上記したように、制御基板７１の各コネクタ受部７３ａ〜７３ｆを露出する複数のコネクタ接続用開口窓部２４ａ〜２４ｄが開口形成されている。これらコネクタ接続用開口窓部２４ａ〜２４ｄは、図５，６のように、夫々が露出する各コネクタ受部７３ａ〜７３ｆに比して大きな開口面積に形成されており、該コネクタ受部７３ａ〜７３ｆを確実に露出することができるようになっている。例えば、コネクタ接続用開口窓部２４ｂは、三つのコネクタ受部７３ｂ〜７３ｄを露出している。このようなコネクタ接続用開口窓部２４ａ〜２４ｆに比して、上記した嵌合開口部５３ａ〜５３ｆは、その開口面積が小さく且つコネクタ受部７３ａ〜７３ｆに外嵌するように形成されている。そのため、上述したように、嵌合開口部５３ａ〜５３ｆがコネクタ接続用開口窓部２４ａ〜２４ｄに夫々連通するように位置決められることによって、コネクタ受部７３ａ〜７３ｆは、嵌合開口部５３ａ〜５３ｆとコネクタ接続用開口窓部２４ａ〜２４ｄとを介して外部に露出する。
【００３９】
そして、上記のように、各嵌合開口部５３ａ〜５３ｆの開口面積は、夫々が連通する各コネクタ接続用開口窓部２４ａ〜２４ｄの開口面積に比して小さいことから、コネクタ用スペーサ５１を副面部２２に被着した状態で、夫々連通する嵌合開口部５３ａ〜５３ｆとコネクタ接続用開口窓部２４ａ〜２４ｆとの間に、面方向（コネクタ用スペーサ５１の板面方向）に沿った隙間領域５９ａ〜５９ｄが夫々に生ずる。コネクタ用スペーサ５１には、この各隙間領域５９ａ〜５９ｄを裏側から閉鎖するように、その上面５１ａよりも表方へ突出する嵌合凸面５５ａ〜５５ｄが設けられている。この嵌合凸面５５ａ〜５５ｄが上面となるように設けられた部位（以下、嵌合凸部５４ａ〜５４ｄという）は、その他の部位に比して肉厚となっている。そのため、コネクタ用スペーサ５１を副面部２２に被着した状態では、嵌合凸部５４ａ〜５４ｄがコネクタ接続用開口窓部２４ａ〜２４ｄに裏側から嵌入して埋め込まれた状態となる。これにより、嵌合凸部５４ａ〜５４ｄの嵌合凸面５５ａ〜５５ｄが、前記した隙間領域５９ａ〜５９ｄを閉鎖する。
【００４０】
さらに、嵌合開口部５３ａ〜５３ｆと嵌合凸部５４ａ〜５４ｄ（嵌合凸面５５ａ〜５５ｄ）とについて詳述する。図５，６（Ａ）のように、コネクタ用スペーサ５１には、コネクタ接続用開口窓部２４ａ，２４ｂに夫々内嵌する平板状の嵌合凸部５４ａ，５４ｂを備えている。そして、嵌合凸部５４ａには、嵌合開口部５３ａが開口形成されており、嵌合凸部５４ｂには、嵌合開口部５３ｂ〜５３ｄが開口形成されている。これにより、このコネクタ用スペーサ５１を副面部２２に被着した状態で、コネクタ接続用開口窓部２４ａ，２４ｂに嵌合凸部５４ａ，５４ｂが内嵌し、コネクタ接続用開口窓部２４ａから嵌合開口部５３ａが臨み、コネクタ接続用開口窓部２４ｂから嵌合開口部５３ｂ〜５３ｄが臨む。ここで、嵌合凸部５４ａ，５４ｂは、コネクタ接続用開口窓部２４ａ，２４ｂに夫々内嵌することから、両者はほとんど隙間無く嵌め合わされている。そして、前記被着した状態で、コネクタ接続用開口窓部２４ａと嵌合開口部５３ａとの面方向の隙間領域５９ａが、嵌合凸部５４ａの嵌合凸面５５ａにより閉鎖され、コネクタ接続用開口窓部２４ｂと嵌合開口部５３ｂ〜５３ｄとの面方向の隙間領域５９ｂが、嵌合凸部５４ｂの嵌合凸面５５ｂにより閉鎖されている。
【００４１】
また、嵌合開口部５３ｅ，５３ｆは、図５，６のように、コネクタ接続用開口窓部２４ｃ，２４ｄに比して、長手方向の長さが等しく且つ幅が狭い長方形状に開口形成されている。そして、当該コネクタ用スペーサ５１を副面部２２に被着した状態で、嵌合開口部５３ｅ，５３ｆの一方の長辺と、その対となるコネクタ接続用開口窓部２４ｃ，２４ｄの一方の長辺とが表裏方向で重なり合い、さらに、嵌合開口部５３ｅ，５３ｆの両側の短辺も、その対となるコネクタ接続用開口窓部２４ｃ，２４ｄの各短辺と部分的に表裏方向で重なり合う（図６（Ｂ）参照）。このように嵌合開口部５３ｅ，５３ｆは、その内周面が、コネクタ接続用開口窓部２４ｃ，２４ｄの一方の長辺および両側の短辺と表裏方向で重なり合う長辺および短辺に沿った連続内周面６１，６３と、コネクタ接続用開口窓部２４ｃ，２４ｄの他方の長辺と重なり合わない長辺に沿った不連続内周面６２，６４とから構成されている。これにより、前記被着状態で、コネクタ接続用開口窓部２４ｃから嵌合開口部５３ｅが臨み、コネクタ接続用開口窓部２４ｄから嵌合開口部５３ｆが臨む。さらに、前記不連続内周面６２，６４の上部開口端縁に沿って、コネクタ接続用開口窓部２４ｃ，２４ｄに嵌入する細長い嵌合凸部５４ｃ、５４ｄが設けられている。この嵌合凸部５４ｃ，５４ｄは、当該コネクタ用スペーサ５１の被着状態で、コネクタ接続用開口窓部２４ｃ，２４ｄと嵌合開口部５３ｅ，５３ｆとの面方向の隙間領域５９ｃ，５９ｄを埋めるように形成されており、嵌合凸部５４ｃ，５４ｄの上面となる嵌合凸面５５ｃ，５５ｄにより前記隙間領域５９ｃ，５９ｄが裏側から閉鎖される。尚、嵌合凸部５４ｃ、５４ｄをコネクタ接続用開口窓部２４ｃ，２４ｄに嵌入した状態では、該コネクタ接続用開口窓部２４ｃ，２４ｄの、嵌合開口部５３ｅ，５３ｆと表裏方向で連通しない内周面に隙間無く嵌入する。
【００４２】
このようなコネクタ用スペーサ５１を、ケース主体２の副面部２２と制御基板７１との間に挟持して取り付けることにより、該コネクタ用スペーサ５１の上面５１ａが副面部２２の裏面に面接触すると共に、制御基板７１のコネクタ受部７３ａ〜７３ｆが、嵌合開口部５３ａ〜５３ｆに内嵌して、副面部２２のコネクタ接続用開口窓部２４ａ〜２４ｄを介して外部に露出する。これにより、ケース底体３を装着して封止した後に、所定の配線ケーブルのコネクタを、各コネクタ受部７３ａ〜７３ｆに適宜接続することができる。
【００４３】
ここで、コネクタ用スペーサ５１は、その嵌合開口部５３ａ〜５３ｆにより制御基板７１の各コネクタ受部７３ａ〜７３ｆを内嵌していることから、該嵌合開口部５３ａ〜５３ｆとコネクタ受部７３ａ〜７３ｆとの間隙がほとんど無く、ここから金属片等を侵入させることができない。また、コネクタ用スペーサ５１は、その嵌合凸部５４ａ〜５４ｄ（嵌合凸面５５ａ〜５５ｄ）により、嵌合開口部５３ａ〜５３ｆとコネクタ接続用開口窓部２４ａ〜２４ｄとの面方向の間隙を裏側から閉鎖していることから、コネクタ用スペーサ５１と副面部２２との間から金属片等を侵入させることができない。特に、嵌合凸面５５ａ〜５５ｄは、コネクタ用スペーサ５１の上面５１ａより表方へ突出していることから、副面部２２の裏面と段差が生じているため、副面部２２の裏面との間（境界）に金属片等を侵入させ難くなっている。これに加え、嵌合凸部５４ａ〜５４ｄは、肉厚状に形成されていることから、高い強度と剛性とを有しているため、表方から人為的な負荷を作用させることによって変形させることも難くなっている。以上のことから、コネクタ用スペーサ５１と副面部２２との間に強制的に間隙を生じさせることが極めて難しく、該間隙を人為的に生成して金属片等を侵入させるという不正行為を防止でき得る。
【００４４】
尚、嵌合開口部５３ｅ，５３ｆは、上述したように、その連続内周面６１，６３がコネクタ接続用開口窓部２４ｃ，２４ｄの内周面と表裏方向で重なり合っていることから、これらの境界から金属片等を強制的に侵入させることは難しい。さらに、嵌合開口部５３ｅ，５３ｆの不連続内周面６２，６４に沿って設けられた嵌合凸部５４ｃ、５４ｄの形状効果によって、連続内周面６１，６３の上部開口端縁の剛性も向上するため、前記境界を強制的に生じさせる変形を抑制する効果が高く、総じて、金属片等を侵入させるという不正行為を防止でき得る。
【００４５】
さらに、コネクタ用スペーサ５１の各嵌合凸部５４ａ〜５４ｄは、その嵌合凸面５５ａ〜５５ｄが副面部２２の表面（コネクタ接続用開口窓部２４ａ〜２４ｄの表側開口端）よりも表方へ突出しないように形成されている。そのため、コネクタ受部７３ａ〜７３ｆとコネクタとを接続する作業や取り外し作業を行い易く、メンテナンス作業や交換作業などの作業性が向上する。
【００４６】
このように、本実施例のコネクタ用スペーサ５１を、ケース主体２の副面部２２と制御基板７１との間に介装することによって、該副面部２２のコネクタ接続用開口窓部２４ａ〜２４ｄから電極（金属片）等を内部に侵入させる不正行為を確実に防止することができる。また、嵌合凸部５４ａ〜５４ｄ（嵌合凸面５５ａ〜５５ｄ）は、高い強度を有することから、不正に破損させて金属片を侵入させる孔等をつくることも難しく、金属片を侵入する不正行為を防止する効果が高い。
【００４７】
また、コネクタ用スペーサは、制御基板に設けられたコネクタ受部の配設数や形状などに応じて適宜設定されたものを用いることが好適である。これにより、コネクタ受部の異なる制御基板を収納する場合には、その制御基板に適したコネクタ用スペーサを用いることにより、上記した本発明の作用効果を奏する。換言すれば、制御基板に応じたコネクタ用スペーサを用いれば、同じ形状寸法のケース主体やケース底体を用いて、様々なタイプの制御基板に対応することができ、高い汎用性を発揮できる。
【００４８】
本発明にあっては、上述した実施例に限定されるものではなく、その他の構成についても、本発明の趣旨の範囲内で適宜変更可能である。
【符号の説明】
【００４９】
１  制御基板収納ケース
２  ケース主体
３  ケース底体
２４ａ〜２４ｄ  コネクタ接続用開口窓部
５１  コネクタ用スペーサ
５３ａ〜５３ｆ  嵌合開口部
５５ａ〜５５ｄ  嵌合凸面
５９ａ〜５９ｄ  隙間領域
７１  制御基板
７２  実装面
７３ａ〜７３ｆ  コネクタ受部
【図１】
2011050435.tif 000003
【図２】
2011050435.tif 000004
【図３】
2011050435.tif 000005
【図４】
2011050435.tif 000006
【図５】
2011050435.tif 000007
【図６】
2011050435.tif 000008